(57)【要約】【課題】組立て作業が簡単に行え、保管時の省スペース化が可能で、菓子類をスムーズに収納でき、取扱い易く、十分な強度が得られ、堅牢で、埃等も侵入し難く、構成簡素で、量産に適し、低廉で、経済的な包装用把手付組立紙箱を提供する。【解決手段】底板１と前板２と後板３と右側板４と左側板５と右半前板６と左半前板７と右内後板８と左内後板９とで箱本体部を構成し、前半天板１２と後半天板１３と右天板１８と左天板１９とで天蓋部を構成し、右内後板８と左内後板９は、掛止切欠部１０、１１を掛止して、後板３の内表面がわに配し、右半前板６と左半前板７は、前方の開口部分を観音開き状に開閉可能で、前板２の内表面がわに配し、前半天板１２と後半天板１３は、上方の開口部分を開閉可能で、右天板１８と左天板１９は、挿通スリット２０、２１に把手１６、１７が挿通可能で、前半天板１２及び後半天板１３の上に重合状態で重なる。【選択図】図１
0003152621.tif 000002
【実用新案登録請求の範囲】
【請求項１】
一枚のシート材から組立てられる包装用把手付き組立紙箱であって、矩形状の底板と、この底板の前端縁に折目線を介して連設される矩形状の前板と、底板の後端縁に折目線を介して連設される矩形状の後板と、底板の右端縁に折目線を介して連設される矩形状の右側板と、底板の左端縁に折目線を介して連設される矩形状の左側板と、右側板の前端縁に折目線を介して連設される矩形状の右半前板と、左側板の前端縁に折目線を介して連設される矩形状の左半前板と、右側板の後端縁に折目線を介して連設される矩形状の右内後板と、左側板の後端縁に折目線を介して連設される矩形状の左内後板とで組立紙箱の箱本体部を構成し、前板の上端縁に折目線を介して連設される矩形状の前半天板と、後板の上端縁に折目線を介して連設される矩形状の後半天板と、右側板の上端縁に折目線を介して連設される矩形状の右天板と、左側板の上端縁に折目線を介して連設される矩形状の左天板とで組立紙箱の天蓋部を構成し、前記右内後板と左内後板は、夫々に設けた掛止切欠部相互を掛止せしめられるように形成すると共に、後板の内表面がわに配されるように形成し、前記右半前板と左半前板は、箱本体部の前方の開口部分を観音開き状に開閉可能となるよう形成すると共に、前板の内表面がわに配されるように形成し、前記前半天板と後半天板は、箱本体部の上方の開口部分を開閉可能となるように形成し、前半天板の後端縁に折目線を介して一方の把手を連設すると共に、後半天板の前端縁に折目線を介して他方の把手を連設し、前記右天板と左天板は、夫々に設けた挿通スリットに一対の把手が挿通可能となるよう形成すると共に、前半天板及び後半天板の上に重合状態で重なることができるよう形成したことを特徴とする包装用把手付組立紙箱。
【請求項２】
左天板の右端縁或いは右天板の左端縁に、折目線を介して差込片を連設し、右側板と右天板を連設する折目線或いは左側板と左天板を連設する折目線に、差込片が差込み自在な差込孔を設けたことを特徴とする請求項１記載の包装用把手付組立紙箱。
【考案の詳細な説明】
【技術分野】
【０００１】
本考案は、主に、菓子類（例えば、ケーキ等の洋菓子や、和菓子や、その他）を、収納して持ち運べるようにした包装用把手付組立紙箱に係り、特に、組立て作業が簡単に行えると共に、組立途中に於いて菓子類をスムーズに収納することができ、取扱い易く、また、組立状態に於いて十分な強度が得られ、堅牢で、埃等も侵入し難く、しかも、構成が簡素で、量産に適し、低廉で、経済的に優れた包装用把手付組立紙箱に関するものである。
【背景技術】
【０００２】
従来、この種の包装用把手付組立紙箱としては、種々のものが提案されており、例えば、特許文献１に示すような把手付紙箱が開示されている。これは、四側面を構成する側板と底面を構成する底板を有し、対向する二つの側板上縁には蓋上面部片、上部両端に係止部を有する把手片がそれぞれ折罫を介して順次連接され、一方他の二つの側板上縁には前記把手片の係止部と係合する係止部支持片がそれぞれ折罫を介して連接された把手付紙箱において、前記他の二つの側板上縁で前記係止部支持片の両側にそれぞれ折罫を介して連接された把手片陥没防止片が設けられたものである。
【先行技術文献】
【特許文献】
【０００３】
【特許文献１】特開平９−８６５３４号公報
【考案の概要】
【考案が解決しようとする課題】
【０００４】
ところが、前述の如き把手付紙箱にあっては、箱の組立てに糊付け部分があり、この部分は予め糊付けしておかなければならない難点があった。また、菓子類等は、箱の上部開口部分から箱内に収納されるため、菓子類をスムーズに収納し難い難点があった。更に、箱全体の強度が低い難点等もあった。
【０００５】
そこで、本考案は、前述の如き難点等を解消して、糊付け不要で、組立て作業が簡単に行えると共に、組立途中に於いて菓子類をスムーズに収納することができ、取扱い易く、組立状態に於いて十分な強度が得られ、堅牢で、埃等も侵入し難く、しかも、構成が簡素で、量産に適し、低廉で、経済的な包装用把手付組立紙箱を提供できるようにすべく案出されたものである。
【課題を解決するための手段】
【０００６】
しかして、前述の如き課題を達成できるようにすべく、請求項１記載の包装用把手付組立紙箱にあっては、一枚のシート材から組立てられる包装用把手付き組立紙箱であって、矩形状の底板１と、この底板１の前端縁に折目線ａを介して連設される矩形状の前板２と、底板１の後端縁に折目線ａを介して連設される矩形状の後板３と、底板１の右端縁に折目線ａを介して連設される矩形状の右側板４と、底板１の左端縁に折目線ａを介して連設される矩形状の左側板５と、右側板４の前端縁に折目線ａを介して連設される矩形状の右半前板６と、左側板５の前端縁に折目線ａを介して連設される矩形状の左半前板７と、右側板４の後端縁に折目線ａを介して連設される矩形状の右内後板８と、左側板５の後端縁に折目線ａを介して連設される矩形状の左内後板９とで組立紙箱の箱本体部を構成し、前板２の上端縁に折目線ａを介して連設される矩形状の前半天板１２と、後板３の上端縁に折目線ａを介して連設される矩形状の後半天板１３と、右側板４の上端縁に折目線ａを介して連設される矩形状の右天板１８と、左側板５の上端縁に折目線ａを介して連設される矩形状の左天板１９とで組立紙箱の天蓋部を構成し、前記右内後板８と左内後板９は、夫々に設けた掛止切欠部１０、１１相互を掛止せしめられるように形成すると共に、後板３の内表面がわに配されるように形成し、前記右半前板６と左半前板７は、箱本体部の前方の開口部分を観音開き状に開閉可能となるよう形成すると共に、前板２の内表面がわに配されるように形成し、前記前半天板１２と後半天板１３は、箱本体部の上方の開口部分を開閉可能となるように形成し、前半天板１２の後端縁に折目線ａを介して一方の把手１６を連設すると共に、後半天板１３の前端縁に折目線ａを介して他方の把手１７を連設し、前記右天板１８と左天板１９は、夫々に設けた挿通スリット２０、２１に一対の把手１６、１７が挿通可能となるよう形成すると共に、前半天板１２及び後半天板１３の上に重合状態で重なることができるよう形成する手段を採用した。
【０００７】
また、請求項２記載の包装用把手付組立紙箱にあっては、左天板１９の右端縁或いは右天板１８の左端縁に、折目線ａを介して差込片２３を連設し、右側板４と右天板１８を連設する折目線ａ或いは左側板５と左天板１９を連設する折目線ａに、差込片２３が差込み自在な差込孔２２を設ける手段を採用した。
【考案の効果】
【０００８】
従って、請求項１記載の包装用把手付組立紙箱によれば、糊付け不要で、組立て作業が簡単に行えるようになると共に、展開状態での保管が可能となり、保管時の省スペース化が可能となる。
しかも、構成が簡素で、量産に適し、低廉で、経済的な包装用把手付組立紙箱となる。
更に、前記右半前板６と左半前板７は、箱本体部の前方の開口部分を観音開き状に開閉可能となるよう形成してあるので、組立紙箱の組立途中に於いて菓子類を箱本体部の前方の開口部分からスムーズに収納させることができるようになり、取扱い易いものとなる。
特に、前記右内後板８と左内後板９は、夫々に設けた掛止切欠部１０、１１相互を掛止せしめられるように形成すると共に、後板３の内表面がわに配されるように形成し、前記右半前板６と左半前板７は、前板２の内表面がわに配されるように形成し、前記前半天板１２と後半天板１３は、箱本体部の上方の開口部分を開閉可能となるように形成し、前記右天板１８と左天板１９は、夫々に設けた挿通スリット２０、２１に一対の把手１６、１７が挿通可能となるよう形成すると共に、前半天板１２及び後半天板１３の上に重合状態で重なることができるよう形成したので、箱本体部の後壁部は、後板３と右内後板８と左内後板９で構成され、箱本体部の前壁部は前板２と右半前板６と左半前板７で構成され、天蓋部は前半天板１２と後半天板１３と右天板１８と左天板１９で構成され、組立状態に於いて極めて十分な強度が得られるようになると共に、堅牢で、埃等も侵入し難い包装用把手付組立紙箱となる。
【０００９】
また、請求項２記載の包装用把手付組立紙箱によれば、差込片２３を差込孔２２に差し込むことにより、天蓋部を構成する前半天板１２及び後半天板１３と右天板１８と左天板１９の重なった状態を簡単に且つ確実に維持できるようになる。
【図面の簡単な説明】
【００１０】
【図１】本考案の包装用把手付組立紙箱を例示する展開図である。
【図２】本考案の包装用把手付組立紙箱を例示する組立状態の斜視図である。
【図３】本考案の包装用把手付組立紙箱を例示する組立途中の斜視図である。
【図４】本考案の包装用把手付組立紙箱を例示する他の組立途中の斜視図である。
【図５】本考案の包装用把手付組立紙箱を例示する側断面図である。
【考案を実施するための形態】
【００１１】
以下、本考案を図示例に基づいて説明すると、次の通りである。
本考案は、一枚の紙製シート材（例えば、コーティングされたボール紙や、段ボール材や、その他の適宜紙材、或いは、適宜複合材等でも良い）から組立てられて、主に、菓子類（例えば、ケーキ等の洋菓子や、和菓子や、その他）を、収納して持ち運べるようにした包装用把手付組立紙箱である。
具体的には、矩形状の底板１と、この底板１の前端縁に折目線ａを介して連設される矩形状の前板２と、底板１の後端縁に折目線ａを介して連設される矩形状の後板３と、底板１の右端縁に折目線ａを介して連設される矩形状の右側板４と、底板１の左端縁に折目線ａを介して連設される矩形状の左側板５と、右側板４の前端縁に折目線ａを介して連設される矩形状の右半前板６と、左側板５の前端縁に折目線ａを介して連設される矩形状の左半前板７と、右側板４の後端縁に折目線ａを介して連設される矩形状の右内後板８と、左側板５の後端縁に折目線ａを介して連設される矩形状の左内後板９とで組立紙箱の箱本体部を構成する。
そして、前板２の上端縁に折目線ａを介して連設される矩形状の前半天板１２と、後板３の上端縁に折目線ａを介して連設される矩形状の後半天板１３と、右側板４の上端縁に折目線ａを介して連設される矩形状の右天板１８と、左側板５の上端縁に折目線ａを介して連設される矩形状の左天板１９とで組立紙箱の天蓋部を構成する。
更に、前記右内後板８と左内後板９は、夫々に設けた掛止切欠部１０、１１相互を掛止せしめられるように形成すると共に、後板３の内表面がわに配されるように形成し、前記右半前板６と左半前板７は、箱本体部の前方の開口部分を観音開き状に開閉可能となるよう形成すると共に、前板２の内表面がわに配されるように形成する。
それから、前記前半天板１２と後半天板１３は、箱本体部の上方の開口部分を開閉可能となるように形成し、前半天板１２の後端縁に折目線ａを介して一方の把手１６を連設すると共に、後半天板１３の前端縁に折目線ａを介して他方の把手１７を連設し、前記右天板１８と左天板１９は、夫々に設けた挿通スリット２０、２１に一対の把手１６、１７が挿通可能となるよう形成すると共に、前半天板１２及び後半天板１３の上に重合状態で重なることができるよう形成することにより、前記課題を達成するものである。
【実施例】
【００１２】
本考案の包装用把手付組立紙箱は、箱本体部と天蓋部とからなり、箱本体部は、例えば、底板１と、前板２と、後板３と、右側板４と、左側板５と、右半前板６と、左半前板７と、右内後板８と、左内後板９とによって構成され、天蓋部は、例えば、前半天板１２と、後半天板１３と、一対の把手１６、１７と、右天板１８と、左天板１９とによって構成されている。
【００１３】
前記箱本体部の底板１は、例えば、その前後端縁が長く左右端縁が短い一枚の矩形板状に形成され、前板２は、例えば、その上下端縁が長く左右端縁が短い一枚の矩形板状に形成され、その下端縁が底板１の前端縁に折目線ａを介して連設され、後板３は、例えば、その上下端縁が長く左右端縁が短い一枚の矩形板状に形成され、その下端縁が底板１の後端縁に折目線ａを介して連設され、右側板４は、例えば、その前後端縁が長く上下端縁が短い一枚の矩形板状に形成され、その下端縁が底板１の右端縁に折目線ａを介して連設され、左側板５は、例えば、その前後端縁が長く上下端縁が短い一枚の矩形板状に形成され、その下端縁が底板１の左端縁に折目線ａを介して連設されている。
すなわち、底板１を中心にして、前板２、後板３、右側板４、左側板５夫々を折り立てられるように形成されている。
【００１４】
右半前板６は、例えば、その左右端縁が長く上下端縁が短い（底板１の前端縁の半分に設定する）一枚の矩形板状に形成され、その右端縁が右側板４の前端縁に折目線ａを介して連設され、左半前板７は、例えば、その左右端縁が長く上下端縁が短い（底板１の前端縁の半分に設定する）一枚の矩形板状に形成され、その左端縁が左側板５の前端縁に折目線ａを介して連設されている。
すなわち、右半前板６と左半前板７が一対となって、箱本体部の前方の開口部分を観音開き状に開閉できるように形成されている。しかも、一対の右半前板６と左半前板７は、前板２を折り立てたときにその内表面に接するように配され、箱本体部の前壁部分が堅牢な二重構造となるように形成されている。
【００１５】
右内後板８は、例えば、その左右端縁が長く上下端縁が短い（底板１の後端縁の半分より稍長く設定する）一枚の矩形板状に形成され、その右端縁が右側板４の後端縁に折目線ａを介して連設され、左内後板９は、例えば、その左右端縁が長く上下端縁が短い（底板１の前端縁の半分より稍長く設定する）一枚の矩形板状に形成され、その左端縁が左側板５の後端縁に折目線ａを介して連設されている。
しかも、右内後板８の左端縁寄りには、下端縁から上端縁に向って掛止切欠部１０が形成され、左内後板９の右端縁寄りには、上端縁から下端縁に向って掛止切欠部１１が形成され、これら掛止切欠部１０、１１相互を掛止せしめられるように形成されている。
すなわち、右内後板８と左内後板９が一対となって、箱本体部の後方の開口部分を塞ぐように形成されている。しかも、一対の右内後板８と左内後板９は、後板３を折り立てたときにその内表面に接するように配され、箱本体部の後壁部分が堅牢な二重構造となるように形成されている。
【００１６】
前記天蓋部の前半天板１２は、例えば、その前後端縁が長く左右端縁が短い（底板１の左右端縁の半分に設定する）一枚の矩形板状に形成され、その前端縁が前板２の上端縁に折目線ａを介して連設され、後半天板１３は、例えば、その前後端縁が長く左右端縁が短い（底板１の左右端縁の半分に設定する）一枚の矩形板状に形成され、その後端縁が後板３の上端縁に折目線ａを介して連設されている。
すなわち、前半天板１２と後半天板１３が一対となって、箱本体部の上方の開口部分を自在に開閉できるように形成されている。
【００１７】
更に、前半天板１２の後端縁中央部分には、細長矩形状の係止片１４を連設し、前半天板１２の後端縁左右寄り部分には、係止片１４を囲むような溝形状の一方の把手１６が折目線ａを介して連設されている。
また、後半天板１３の前端縁中央部分には、細長矩形状の係止片１５を連設し、後半天板１３の前端縁左右寄り部分には、係止片１５を囲むような溝形状の他方の把手１７が折目線ａを介して連設されている。
すなわち、前半天板１２と後半天板１３で箱本体部の上方の開口部分を閉じるときに、係止片１４と係止片１５が後半天板１３と前半天板１２に夫々重なるようにすると共に、一対の把手１６、１７を折り立てて重合できるように形成されている。
【００１８】
前記天蓋部の右天板１８は、例えば、その前後端縁が長く左右端縁が短い（底板１と同寸法に設定する）一枚の矩形板状に形成され、その右端縁が右側板４の上端縁に折目線ａを介して連設され、左天板１９は、例えば、その前後端縁が長く左右端縁が短い（底板１と同寸法に設定する）一枚の矩形板状に形成され、その左端縁が左側板５の上端縁に折目線ａを介して連設されている。
しかも、右天板１８と左天板１９夫々の中央部分には、一対の把手１６、１７が挿通できるような細長状の挿通スリット２０、２１が形成されている。
すなわち、右天板１８は、一対の前半天板１２及び後半天板１３の上に重なるように形成され、左天板１９は、前半天板１２の上に重なるように形成され（或いは、右天板１８と左天板１９は、重合状態に於ける上下位置が逆でも良い）、天蓋部分が堅牢な三重構造となるように形成されている。
【００１９】
加えて、左天板１９の右端縁（或いは右天板１８の左端縁）中央部分には、舌片状の差込片２３を折目線ａを介して連設し、右側板４と右天板１８を連設する折目線ａ（或いは左側板５と左天板１９を連設する折目線ａ）部分中央には、差込片２３が差込み自在な差込孔２２を設けてある。
すなわち、差込片２３を差込孔２２に差し込むことにより、天蓋部を構成する前半天板１２及び後半天板１３と右天板１８と左天板１９の重なった状態を簡単に且つ確実に維持できるように形成してある。
【００２０】
ところで、包装用把手付組立紙箱の具体的構成、形状、寸法、材質、箱本体部の具体的構成、形状、寸法、材質、天蓋部の具体的構成、形状、寸法、材質、底板１の具体的構成、形状、寸法、材質、前板２の具体的構成、形状、寸法、材質、後板３の具体的構成、形状、寸法、材質、右側板４の具体的構成、形状、寸法、材質、左側板５の具体的構成、形状、寸法、材質、右半前板６の具体的構成、形状、寸法、材質、左半前板７の具体的構成、形状、寸法、材質、右内後板８の具体的構成、形状、寸法、材質、左内後板９の具体的構成、形状、寸法、材質、掛止切欠部１０、１１の具体的構成、形状、寸法、配設位置、前半天板１２の具体的構成、形状、寸法、材質、後半天板１３の具体的構成、形状、寸法、材質、係止片１４、１５の具体的構成、形状、寸法、材質、配設位置、把手１６、１７の具体的構成、形状、寸法、材質、数、配設位置、右天板１８の具体的構成、形状、寸法、材質、左天板１９の具体的構成、形状、寸法、材質、挿通スリット２０、２１の具体的構成、形状、寸法、配設位置、差込孔２２の具体的構成、形状、寸法、配設位置、差込片２３の具体的構成、形状、寸法、材質、配設位置、折目線ａの具体的構成、形状、寸法、配設位置、数等は図示例のものなどに限定されることなく適宜自由に設定、変更できるものである。
【産業上の利用可能性】
【００２１】
しかして、本考案の包装用把手付組立紙箱は、組立て作業が簡単に行え、組立途中に於いて菓子類をスムーズに収納でき、取扱い易くて、組立状態に於いて十分な強度が得られ、堅牢で、埃等も侵入し難くなる。
【符号の説明】
【００２２】
１      底板
２      前板
３      後板
４      右側板
５      左側板
６      右半前板
７      左半前板
８      右内後板
９      左内後板
１０    掛止切欠部
１１    掛止切欠部
１２    前半天板
１３    後半天板
１４    係止片
１５    係止片
１６    把手
１７    把手
１８    右天板
１９    左天板
２０    挿通スリット
２１    挿通スリット
２２    差込孔
２３    差込片
ａ      折目線
【図１】
0003152621.tif 000003
【図２】
0003152621.tif 000004
【図３】
0003152621.tif 000005
【図４】
0003152621.tif 000006
【図５】
0003152621.tif 000007